(57)【要約】【課題】  建物の内部が暗くならず、狭い敷地でも設置することができ、稼働率の高い安価な空調システムを提供することである。【解決手段】  建物１の開口部１３の前方に箱形の壁２１とこの壁２１の内部に設けた空間とからなる構造体２を設ける。この構造体２の壁２１には、屋根に降った雨水と水道水とを構造体２の中に入れる水流入口３と、構造体２の空間の中の水を取り出す水流出口４と、構造体２の空間の中の水が所定の高さ以上になったときに水を自動的に流出させるオーバーフロー口８とを設けいる。【選択図】          図１
2005249232.tif 000002
【特許請求の範囲】
【請求項１】
建物の開口部の前方に、箱形の壁とこの壁の内部に設けられた空間とからなる構造体が設けられ、この構造体の壁には、屋根に降った雨水と水道水とを構造体の空間の中に入れる水流入口と、構造体の空間の中の水を取り出す水流出口と、構造体の空間の中の水が所定の高さ以上になったときに水を自動的に流出させるオーバーフロー口とが設けられていることを特徴とする空調システム。
【請求項２】
前記建物の開口部が出入口であり、前記構造体がステップまたはポーチであることを特徴とする請求項１に記載の空調システム。
【請求項３】
前記構造体の壁には、オーバーフロー口より高い位置に空気流出口が設けられ、前記構造体の空間の中の空気をこの空気流出口から建物の床下に放出させる送風装置が設けられてことを特徴とする請求項１または請求項２に記載の空調システム。
【請求項４】
前記構造体の壁が合成樹脂製または繊維強化セメント製であることを特徴とする請求項１〜請求項３のいずれかに記載の空調システム。
【発明の詳細な説明】
【技術分野】
【０００１】
本発明は、省エネタイプの空調システムに関する。
【背景技術】
【０００２】
従来の空調システムは、建物の内部や外部に空調機器を設置して、建物の内部を空調するものであるが、かかる空調システムでは、電気等のエネルギーを大量に消費し、不経済である。
従って、かかる大量のエネルギーを消費しない省エネタイプの空調システムが注目されている。
特に、日本では、夏期の暑さが厳しいので、空調システムとしては、この夏期の暑さ対策が重要である。
【０００３】
かかる夏期の暑さ対策のための省エネタイプの空調システムとしては、従来、開口部に簾等を設けて、上方から入る太陽光や隣接する建物や庭や土間（犬走り）から照り返す光を遮断することが行われている。上方から入る太陽光は比較的短い庇等でも防ぐことができるが、下方の地面や横方の隣家の壁からの照り返しの光は比較的短い庇等で防ぐことができず、長い庇にする必要がある。
しかし、長い庇は高価になるし、敷地が狭いと長い庇を設けることができない。
従って、この照り返しを防ぐには、この簾が有効である。
【０００４】
また、別の空調システムとしては、夏期等の暑いときには、庭先に打ち水をすることも行われている。これは、この打ち水が蒸発することによって開口部の前面の庭先等の温度を低くし、照り返しを防ぐとともに、この低くなった庭先等の上を通る涼しい風を建物の内部に入れて、建物の内部を空調するものである。
【０００５】
特に、建物の周りのステップや土間（犬走り等）がコンクリート製である場合には、太陽光によりこのステップや土間等が地上より高温になり、照り返しが強いし、この上を通過し、建物の中に入る風が高温になる。しかも、太陽が沈んだ後も、このコンクリート製のステップや土間がいつまでも冷えず、外部から入る風がいつまでも高温で、居住性が悪いという問題があるが、かかる場合には、この打ち水が効果的ある。
【０００６】
また、雨水を利用した省エネタイプの空調システムとしては、特許文献１に記載されている空調システムが知られている。
この特許文献１に記載されている省エネタイプの空調システムは、建物の外部の土中に雨水槽を設置し、この雨水槽の中に空気ダクトを設けたものであって、雨水槽の中に雨水を蓄えていて、夏期等の暑い日には、建物の外部の空気や床下の温度の低い空気を雨水槽の中にある空気ダクトの中を通して建物の中に送風するものであって、空気がダクトの中を通過している間に雨水槽に蓄えられている雨水で冷やされた涼しい風を建物の中に吹き込むことによって空調するものである。
【０００７】
【特許文献１】特開２０００−１６１７００号公報
【発明の開示】
【発明が解決しようとする課題】
【０００８】
しかしながら、上記開口部に簾等を設ける空調システムでは、空気を冷やす作用がなく、従って、部屋が気温より低下しないし、簾が光を遮り、建物の内部が暗くなるし、簾が邪魔をして開口部から涼しい風が建物の中に入り難くなるという問題がある。
また、打ち水をする方法では、この打ち水に利用する水を水道水で行うと、大量の水道水が必要となり、高価になるし、水資源の浪費となる。また、雨水で行うと、大きな貯水槽が必要となり、敷地が狭い建物では設置できない。
更に、打ち水を人がするとなると、打ち水は直ぐに蒸発するので、度々、打ち水をする必要があり、不便であるし、散水装置を設けて打ち水をする方法では、この打ち水は、夏期だけ行うので、散水装置の稼働率が低いという問題がある。
【０００９】
特許文献１に記載されている空調システムでは、貯水槽を地中に設けるので、貯水槽の中に蓄えた雨水が太陽によって温めらず、効果的であるし、貯水槽の上の地面が利用でき、便利であるが、この空調システムは夏期だけ稼働させるだけで、稼働率が低いし、小さい貯水槽では、空気ダクトを通過する空気によって短時間に貯水槽の中の雨水の温度が高くなって効果がなくなるので、大きな貯水槽を設ける必要があり設備費が高価になる。また、このように大きな貯水槽を設けると、敷地の狭い建物では設置できないという問題がある。
【００１０】
そこで、本発明は、建物の内部が暗くならず、狭い敷地でも設置することができ、稼働率の高い安価な空調システムを提供することである。
【課題を解決するための手段】
【００１１】
本発明は上記目的を達成するためになされたものであって、請求項１に記載の発明は、建物の開口部の前方に、箱形の壁とこの壁の内部に設けられた空間とからなる構造体が設けられ、この構造体の壁には、屋根に降った雨水と水道水とを構造体の空間の中に入れる水流入口と、構造体の空間の中の水を取り出す水流出口と、構造体の空間の中の水が所定の高さ以上になったときに水を自動的に流出させるオーバーフロー口とが設けられているものである。
【００１２】
この請求項に１記載の発明における開口部とは、玄関、勝手口等の出入口や、窓等をいう。
この開口部の前方に、構造体が設けられているが、この構造体は、空間の中に雨水や水道水を蓄えるものであって、この構造体の空間に入れた雨水や水道水によって冷やされた表面で照り返しをなくしたり、表面の上方を通る風を開口部の中に入れて建物の中を涼しくするものである。
従って、開口部や構造体は建物のどの方角に設けてもよいが、太陽光の当たる場所に設けると、照り返しを防止する作用が大きいので、太陽光の当たる建物の東側、南側、西側に設けることが好ましく、特に、南側に設けることが最も好ましい。
【００１３】
また、この請求項１に記載の発明における構造体の壁には、屋根に降った雨水や水道水を構造体の空間の中に入れる水流入口を設けているが、この水流入口としては、雨水を入れる水流入口と水道水を入れる水流入口とを別々に設けてもよいし、雨水を通す管と水道水を通す管とを途中で一緒にし、雨水の流入口と水道水の流入口とを兼用する水流入口を設けてもよい。
【００１４】
また、雨水を水流入口から入れる構造として適宜でよいが、通常、屋根に降った雨水を軒樋で受けて、この軒樋で受けた雨水を竪樋で地上に流すようになっているので、この竪樋から管を分岐し、この分岐した管を水流入口に接続するようにするとよい。
この際、竪樋に弁を設けていて、この弁の作用で、竪樋を通る雨水を水流入口方向に流したり地上に流すようにするとよい。
また、この構造体には、空間の中の水が所定の高さ以上になったときに水を自動的に流出させるオーバーフロー口が設けられているので、竪樋の中を流れる雨水の全量または一部を構造体の空間の中に入れるようにしてもよい。
【００１５】
請求項２に記載の発明は、請求項１に記載の発明に係り、前記建物の開口部が出入口であり、前記構造体のステップまたはポーチであるものである。
【００１６】
この請求項２に記載の発明における出入口とは、玄関や勝手口等のように人が出入することができる開口部をいう。
【００１７】
請求項３に記載の発明は、請求項１または請求項２に記載の発明に係り、前記構造体の壁には、オーバーフロー口より高い位置に空気流出口が設けられ、前記構造体の空間の中の空気をこの空気流出口から建物の床下に放出させる送風装置が設けられているものである。
【００１８】
この請求項３に記載の発明における送風装置とは、ブロワーやファン等である。この送風装置は、適宜場所に設ければよい。例えば、構造体の中に設けてもよいし、構造体の壁の中に設けてもよいし、空気流出口に建物の床下に通じる通孔を設け、この通孔に送風装置を設けてもよい。通常、建物には基礎が有り、この基礎の内側が床下になっている場合が多いので、この基礎に通孔を設け、この通孔に送風装置を設け、この通孔と空気流出口とを連結するようにすると場所を取らないので好ましい。
また、この空気流出口はオーバーフロー口より高い位置であればどこでもよい。即ち、横方の壁でもよいし、上方の壁であってもよい。
【００１９】
請求項４に記載の発明は、請求項１〜請求項３のいずれかに記載の発明に係り、前記構造体の壁が合成樹脂製または繊維強化セメント製であるものである。
【００２０】
この請求項４記載の発明における合成樹脂とは、ポリエチレン樹脂、ポリ塩化ビニル樹脂等の熱可塑性合成樹脂でもよいし、ポリエステル樹脂、ポリウレタン樹脂等の熱硬化性樹脂でもよいが、ポリエステル樹脂やポエウレタン樹脂等をガラス繊維で強化した繊維強化プラスチックが機械的強度が大きく、好適である。
また、繊維強化セメントはセメント板を合成繊維等で強化したものであって、機械的強度が大きく、板状にしたときに、通常のセメント板より薄くすることができるものである。
（作用）
【００２１】
請求項１に記載の発明では、建物の開口部の前方に、箱形の壁とこの壁の内部に設けられた空間とからなる構造体が設けられ、この構造体の壁には、屋根に降った雨水と水道水とを構造体の空間の中に入れる水流入口と、構造体の空間の中の水を取り出す水流出口とが設けられているので、次に示すように使用すると、夏期等の暑い時期に建物の中を涼しくすることができ、建物の居住性がよくなる。
【００２２】
即ち、夏期等の暑い時期に降った雨水を水流入口から構造体の空間の中に入れて雨水を溜めておく。そして、再び雨が降ると、この構造体の中の水を水流出口から出して、新しい雨水に替える。このようにして、絶えず温度の低い新しい雨水を構造体の空間の中に溜めるようにする。なお、構造体の空間の中の雨水の温度が高くない場合には、新しい雨水に入れ替える必要がない。
【００２３】
すると、この雨水は、通常、気温より低いので、構造体の表面は気温より低くなり、この構造体の上を通った風は気温より低く、この温度の低い風が開口部から入った建物の中は涼しい。特に、太陽光が直接照射する東側や南側や西側に設けた構造体では、開口部から建物の内部に入る照り返しがなく、建物の中が涼しくなる。
従って、簾を設けたときの問題、即ち、気温より低くならないという問題や、暗くなったり、風が入り難いという問題がない。
【００２４】
そして、長期間、雨水が降らず、そのために構造体の空間の中に蓄えられた雨水の温度が太陽光で温かくなり、建物の中が涼しくならなくなると、この構造体の空間の中の水を水流出口から流出させ、水道水を水流入口から構造体の空間の中に入れる。
すると、この水道水は、通常、気温より低いので、気温より低い雨水と同様な作用がある。
このように構造体の空間の中に蓄えられた雨水や水道水によって、建物の中は絶えず涼しくすることができ、居住性がよくなる。
【００２５】
なお、この水流出口から流出させた水を、前方の土地の上に打ち水にしたり、植物に散水すると、資源の無駄がなくなり好ましい。
また、構造体の空間の中の水が所定の高さ以上になったときには、水を自動的に流出させるオーバーフロー口が設けられているので、雨水や水道水を入れ過ぎても、この入れ過ぎた雨水や水道水はオーバーフロー口から流出するので安心である。
【００２６】
このように、構造体の空間の中の水を入れ換えて構造体の表面を冷やすことができるし、開口部の前方にだけ設ければよいので、従来の雨水槽より小さくすることができ、設備費が安価になるし、敷地の狭い建物でも設置することができる。
なお、この水道水を使用する場合でも、従来の雨水槽より小さくすることのできる構造体の空間の中に雨水の替わりに時々入れるだけであるので、水道水を大量に必要とせず、資源の消費を最小限に抑えらることができる。
【００２７】
特に、太平洋側では夏期に雨が多く降るので、雨水を度々入れ替えることができ、水道水の使用量は少ない。
なお、この開口部の前方には、通常、ポーチやステップやパーゴラの基礎等を設けることが多いので、構造体をこのポーチやステップやパーゴラの基礎等と兼用するようにすると、設備費が更に安価になる。
【００２８】
請求項２に記載の発明では、請求項１に記載の発明に係り、前記建物の開口部が出入口であり、前記構造体がステップまたはポーチである。即ち、通常、建物の開口部の前方にはステップまたはポーチがあるが、このステップやポーチを構造体に使用する。
従って、構造体を別に設ける必要がなく、構造体とステップやポーチを別々に設けるより場所を取らず、狭い敷地でも設置することができるし、安価になる。
【００２９】
請求項３に記載の発明では、請求項１または請求項２に記載の発明に係り、前記構造体の壁には、オーバーフロー口より高い位置に空気流出口が設けられ、前記構造体の空間の中の空気をこの空気流出口から建物の床下に放出させる送風装置が設けられているので、次に示すように使用することにより、冬期等の寒い時期でも使用することができる。
【００３０】
即ち、冬期等の寒い時期には、構造体の空間の中の水を水流出口から流出させ、空にする。
すると、太陽光の熱で構造体の壁が温められ、構造体の空間の中の空気が温められる。
このようにして温められた空気を送風装置で建物の床下に送風する。
すると、床下が温められ、建物の中が暖房される。
このように使用すると、従来の空調設備のように、建物の中を暖房するための大量のエネルギーを必要しない。
【００３１】
このように、冬期等の寒い日でも、この空調システムは稼働させることができ、稼働率が上昇する。
特に、人口の多い太平洋側では冬期の寒い時期には晴天の日が多く、稼働率が上昇する。
また、この空気流出口はオーバーフロー口より高い位置に設けられているので、構造体の空間の中に入れた雨水や水道水が空気流出口から出ない。
【００３２】
請求項４に記載の発明では、請求項１〜請求項３のいずれかに記載の発明に係り、前記構造体の壁が合成樹脂製または繊維強化セメントであるので、機械的強度が大きく、壁だけをこれ等の材料で製造すればよく、使用する材料が少なく、軽くなる。従って、工場等で製造して、現場に運搬することができ、安価に、しかも、精度よく製造することができる。
【発明の効果】
【００３３】
以上説明したように、請求項１に記載の発明は、建物の開口部の前方に、箱形の壁とこの壁の内部に設けられた空間とからなる構造体が設けられ、この構造体の壁には、屋根に降った雨水と水道水とを構造体の空間の中に入れる水流入口と、構造体の空間の中の水を取り出す水流出口と、構造体の空間の中の水が所定の高さ以上になったときに自動的に流出させるアーバーフロー口とが設けられているから、雨水を水流入口から構造体の空間の中に入れたり、水道水を水流入口から構造体の空間の中に入れて、構造体の表面を冷やして建物の内部を涼しくすることができる。
【００３４】
しかも、構造体は建物の開口部の前方だけに設ければよく、設備費が安価になるし、敷地の狭い建物でも設置することができる。また、水道水を入れる場合でも、従来の雨水槽より小さくすることのできる構造体の空間の中に水道水を雨水の替わりにと時々入れ替えるだけであるので、水道水を大量に必要とせず、資源の消費を最小限に抑えるたとができる。
特に、太平洋側では夏期等の暑い時期には雨が多いので水道水の使用量が少なくなる。
また、構造体の内部に雨水や水道水を入れ過ぎても、この入れ過ぎて雨水や水道水はオーバーフロー口から流出するので安心である。
【００３５】
請求項２に記載の発明は、請求項１に記載の発明に係り、前記建物の開口部が出入口であり、前記構造体のステップまたはポーチであるから、構造体とステップやポーチを別々に設けるより場所を取らず、従って、狭い敷地でも設置することができるし、安価になる。
【００３６】
請求項３に記載の発明は、請求項１または請求項２に記載の発明に係り、前記構造体の壁には、オーバーフロー口より高い位置に空気流出口が設けられ、前記構造体の空間の中の空気をこの空気流出口から建物の床下に放出させる送風装置が設けられているから、冬期等の寒い時期には、構造体の空間の中の水を水流出口から流出させ、空にしておく。すると、太陽光の熱で構造体の空間の中の空気が温まる。
そして、寒いときに、この温まった空気を寒い日等に送風装置で建物の床下に送風すると、床下が温められ、建物の中が暖房される。
【００３７】
このようにすると、従来の空調設備のように大量のエネルギーを浪費せずに建物の中を暖房することができる。
このように、冬期でも、この空調システムは稼働させることができるので、稼働率が上昇する。
特に、人口の多い太平洋側では冬期の寒い時期には晴天の日が多ので、稼働率が上昇する。
【００３８】
請求項４に記載の発明は、請求項１〜請求項３のいずれかに記載の発明に係り、前記構造体の壁が合成樹脂製または繊維強化セメントであるから、機械的強度が大きく、しかも、壁だけをこれ等の材料で製造すればよく、使用する材料が少なく、軽くなる。
従って、工場等で製造して、現場に運搬することができ、安価に、しかも、精度よく製造できる。
【発明を実施するための最良の形態】
【００３９】
以下、本発明を実施するための最良の形態を実施例で説明する。
【実施例】
【００４０】
図１及び図２は本発明の一実施例であって、図１は建物の一部を示す斜視図、図２は、図１のＡ−Ａ線における断面図である。
図１及び図２において、Ｓは空調システムであり、この空調システムＳは建物１と構造体であるステップ２とからなる。
建物１は、基礎１１とこの基礎１１の上に建てられた建物本体１２とからなり、この建物１の南側には、開口部である勝手口１３が設けられている。
【００４１】
この勝手口１３には、ガラス戸１４がスライド自在に取り付けられ、この勝手口１３の前方には、構造体であるステップ２が設けられている。
このステップ２は、ステップ形状の箱形の壁２１と、この壁の内部に設けられた空間２２とからなる。
【００４２】
このステップ２の壁２１は繊維補強ポリエステル樹脂製であり、この壁２１の横側面には、上方に、水流入口３とオーバーフロー口８とが設けられ、下方に、水流出口４が設けられている。又、壁２１の屋内側面には、オーバーフロー口８より高い位置に空気流出口５が設けられている。
水流入口３は雨水を入れる雨水用の水流入口３−１と水道水用の水流入口３−２とからなる。
【００４３】
このように、このステップ２は、繊維強化ポリエステル樹脂製であるので、機械的強度が大きく、しかも、壁だけをこれ等の材料で製造すればよく、使用する材料が少なく、軽い。従って、工場等で製造して、現場に運搬することができ、安価に、しかも、精度よく製造することができる。
１９は基礎１１に囲まれた床下である。
【００４４】
６は基礎１１に設けられた通孔であり、この通孔６の中には送風装置であるファン６１が設けられ、建物本体１１の中には図示しないスイッチが設けられていて、このスイッチによってファン６１を駆動させたり、停止できるようになっている。この通孔６の屋外側は、空気流出口５に接続され、屋内側は床下１９に開口している。
従って、ファン６１を稼働させると、ステップ２の空間２２の中の空気を床下１９に放出できるようになっている。
【００４５】
７と竪樋であり、この竪樋７の上方は図示しない軒樋に連結され、中間部が２つの管７１、７２に分岐されていて、一方の管７１は地中にある図示しない排水管に接続され、他方の管７２は雨水用の水流入口３−１に連結されている。
なお、この分岐点には図示しない弁が設けられていて、竪樋７を通る雨水を管７１の中を通したり、管７２の方を通したりすることができるようになっている。
７５は水道管であり、この水道管７５は水道用の水流入口３−２に接続されている。
なお、水道管７５にはバルブ７６が設けられている。
【００４６】
そして、この水道管７５のバルブ７６を通常閉めていて、必要に応じてバルブ７６を開けて水道水を水道用の水流入口３−２から空間２２の中に流入することができるようになっている。
水流出口４には、管４１が設けられ、また、この管４１にはバルブ４２が設けられている。
そして、通常、このバルブ４２を閉めていて、空間２２の中に雨水や水道水を蓄えていて、必要に応じて、このバルブ４２を開けて、空間２２の中の水を管４１を通して外部に流れ出せることができるようになっている。
【００４７】
また、空間２２の中の水位が、壁の上方に設けられているオーバーフロー口８より高くなると、自動的に、空間２２の外側に流れ出るようになっている。
このように雨水や水道水を入れ過ぎてもオーバーフロー口８から流れ出るようになっているので、安全であり安心である。
なお、空気流出口５は、このオーバーフロー口８より高い位置に設けられているので、水位が上昇しても、空気流出口５から床下１９に雨水や水道水が流出することがない。
【００４８】
次に、この空調システムＳの使用方法および作用について説明する。
先ず、夏期等の暑い時期について説明する。
雨が降ったときには、この雨水を水流入口３からステップ２の空間２２の中に入れて雨水を溜めておく。そして、再び雨が降ると、このステップ２の空間２２中の水を水流出口４から出した後に、水流入口３から新しい雨水を入れるというようにして、絶えず新しい雨水をステップ２の空間２２の中に溜めておく。なお、この空間２２の中に入れている雨水の温度が低い場合には、新しい雨水に入れ替える必要がない。
【００４９】
すると、この雨水は、通常、気温より低いので、ステップ２の壁２１表面は気温より低く、勝手口１３を通って建物１の中に入る照り返しがないし、このステップ２の上を通った気温より低い風が勝手口１３から建物１の中に入って建物１の中が涼しい。
従って、簾を設けたときの問題、即ち、気温より低くならないという問題や、暗くなったり、風が入り難いという問題がない。
【００５０】
そして、雨水が長期間降らず、そのためにステップ２の空間２２の中に蓄えられた雨水の温度が、太陽光によって高くなり、建物の中が涼しくならなくなると、このステップ２の空間２２の中の水を水流出口４から流出させた後に、バルブ７６を開けて水道水を水流入口３からステップ２の空間２２の中に入れる。
すると、この水道水は、通常、気温より低いので、気温より低い雨水と同様な作用がある。
【００５１】
このようにすることにより、建物１の中は絶えず涼しく居住性がよい。
特に、従来、ステップはコンクリート製であったが、このコンクリート製のステップでは、太陽光により極めて温度が高くなって、照り返しが強いし、このステップの上を通る風が温かく、しかも、このコンクリート製のステップでは日没後もしばらく温度が低くならず居住性が悪かったが、この実施例に示すステップ２によってかかる問題が解消される。
なお、この水流出口３から流出させた水を、前方の土地の上に打ち水をして、建物１の中を涼しくしたり、植物に散水すると、資源の無駄がなくなり好ましい。
【００５２】
また、建物１には、必要なステップ２を雨水や水道水を入れる構造体にするので、雨水槽を別に設けるより場所を取らず、従って、狭い敷地でも設置することができるし、雨水槽を設けるより安価になる。
また、水道水を使用するが、この水道水は、雨水の替わりに使用するだけであり、しかも、従来の雨水槽より小さいステップ２の空間２２の中に入れるだけであるので、水道水を大量に必要とせず、資源の消費を最小限に抑えらることができる。
特に、太平洋側では暑い時期に雨が多いので、水道水の使用量が少ない。
【００５３】
次に、冬期等の寒い時期について説明する。
冬期等の寒い時期には、ステップ２の空間２２の中の水を水流出口から流出させ、空にする。
すると、太陽光の熱でステップ２の空間２２の中の空気が温められる。
このように温められた空気を寒いときにファン６１で建物１の床下１９に送風する。
すると、床下１９が温められ、建物１の中が暖房される。
実際に、太平洋側で、この空調システムＳの１年中のニーズ、稼働状況、および雨の量を調べた結果、表１に示す結果が得られた。
【００５４】
【表１】
2005249232.tif 000003
【００５５】
この表１から判るように、ニーズは、大小の差はあるが、略１年中あるが、特に、このニーズの大きな時期（夏期等の暑い日と冬期等の寒い日の両方）に、この空調システムＳは稼働させるている。このようにすると、従来の省エネタイプの空調システムより稼働率がよい。
【産業上の利用可能性】
【００５６】
この実施例では、勝手口の前方にあるステップを構造体にした例を示したが、玄関の前方にあるポーチやステップであってもよいし、パーゴラの基礎であってもよいし、窓等の前に、ステップ等とは別に設けた構造体であってもよいし、土間に設けるコンクリートに替えた構造体でもよい。
また、実施例では、構造体の壁を繊維強化プラスチックで製造したが、その他の合成樹脂であってもよいし、繊維強化セメントで製造してもよい。
【図面の簡単な説明】
【００５７】
【図１】実施例の建物の一部を示す斜視図である。
【図２】図１のＡ−Ａ線における断面図である。
【符号の説明】
【００５８】
Ｓ              空調システム
１              建物
１３            勝手口
２              構造体（ステップ）
２１            壁
２２            空間
３              水流入口
３−１          雨水用の水流入口
３−２          水道用の水流入口
４              水流出口
５              空気流出口
６１            送風装置（ファン）
７              竪樋
８              オーバーフロー口
【図１】
2005249232.tif 000004
【図２】
2005249232.tif 000005